(57)【特許請求の範囲】
【請求項１】
販売登録装置と連動して決済処理を行う決済装置であって、
前記決済処理に係る各取引の売上データを所定期間分集計し、集計データを生成する生成手段と、
前記集計データを前記販売登録装置に提供する提供手段と、
前記集計データを前記販売登録装置とは異なる外部装置に記録用として出力する出力手段と、
を備える決済装置。
【請求項２】
前記生成手段は、集計の対象となる所定の項目毎に、当該項目についての集計結果をセットした集計データを生成する請求項１に記載の決済装置。
【請求項３】
前記提供手段は、前記項目毎に前記集計データを個別に提供する又は全項目分の前記集計データを一括して提供する請求項２に記載の決済装置。
【請求項４】
前記販売登録装置から前記集計データの収集要求を受け付ける受付手段を更に備え、
前記提供手段は、前記受付手段が前記収集要求を受け付けた場合に、前記集計データを前記販売登録装置に提供する請求項１〜３の何れか一項に記載の決済装置。
【請求項５】
前記提供手段は、前記受付手段が前記収集要求を受け付けた場合に、前記生成手段に前記集計データを生成させ、生成された当該集計データを前記販売登録装置に提供する請求項４に記載の決済装置。
【請求項６】
販売登録装置と連動して決済処理を行う決済装置のコンピュータを、
前記決済処理に係る各取引の売上データを所定期間分集計し、集計データを生成する生成手段と、
前記集計データを前記販売登録装置に提供する提供手段と、
前記集計データを前記販売登録装置とは異なる外部装置に記録用として出力する出力手段と、
して機能させるためのプログラム。
【発明の詳細な説明】
【技術分野】
【０００１】
本発明の実施形態は、決済装置及びプログラムに関する。
【背景技術】
【０００２】
従来、量販店等の店舗においては、ＰＯＳ（Point  Of  Sales：販売時点データ管理）端末やＥＣＲ（Electronic  Cash  Register）装置等の販売登録装置に、カード決済用の決済装置が接続されて用いられている。係る決済装置では、例えば、磁気カードやＩＣ（Integrated  Circuit）カードに保存された情報をカード会社に送信することによって、取引金額の決済を行う。また、決済装置では、所定期間分の総取引金額等、取引に係る各種の集計結果を表した集計データを生成し、上位装置となるサーバへ送信している。
【発明の概要】
【発明が解決しようとする課題】
【０００３】
しかしながら、上記従来の技術では、決済装置で生成した集計データを販売登録装置に提供することができないため、当該集計データを販売登録装置側で利用することができなかった。このような事情から、集計データに係るユーザビリティを向上させることが可能な技術が望まれている。
【課題を解決するための手段】
【０００４】
実施形態の決済装置は、販売登録装置と連動して決済処理を行う決済装置であって、生成手段と、提供手段と、出力手段と、を備える。生成手段は、前記決済処理に係る各取引の売上データを所定期間分集計し、集計データを生成する。提供手段は、前記集計データを前記販売登録装置に提供する。出力手段は、前記集計データを前記販売登録装置とは異なる外部装置に記録用として出力する。
【図面の簡単な説明】
【０００５】
【図１】図１は、実施形態に係るＰＯＳシステムの構成を示す図である。
【図２】図２は、決済装置の電装系の構成を示すブロック図である。
【図３】図３は、図２に示した売上レポートテーブルの一例を示す図である。
【図４】図４は、決済装置に表示される操作画面の一例を示す図である。
【図５】図５は、決済装置に表示されるデータ入力画面の一例を示す図である。
【図６】図６は、決済装置とＰＯＳ端末と間で行われる売上レポートの授受に係るシーケンス図である。
【発明を実施するための形態】
【０００６】
以下、添付図面を参照して、決済装置及びプログラムの実施形態を詳細に説明する。なお、以下に説明する実施形態は、決済装置及びプログラムの一実施形態であって、その構成や仕様等を限定するものではない。本実施形態は、スーパーマーケット等の店舗に導入された、一取引にかかる商品の登録・精算を行うＰＯＳシステムへの適用例である。
【０００７】
図１は、本実施形態に係るＰＯＳシステム１の構成を示す図である。同図に示すように、ＰＯＳシステム１は、決済装置としての決済装置１００と、販売登録装置としてのＰＯＳ端末３００と、センタサーバ４００とを有する。また、決済装置１００にはピンパッド端末２００が接続されている。ＰＯＳシステム１において、決済装置１００とピンパッド端末２００との間は、有線又は無線により通信可能に接続されている。また、決済装置１００とセンタサーバ４００との間は、有線又は無線により通信可能に接続されている。
【０００８】
決済装置１００は、ＩＣカードや磁気カードからカード情報を読み取り、カード会社のサーバと通信することでカード決済処理を行う決済機能を有する装置である。
【０００９】
図１に示すように、決済装置１００の本体１０１の側部には電源スイッチ１０２が設けられている。また、本体１０１の上部には、本体１０１に対して開閉可能な上面パネル１０３が設けられている。上面パネル１０３を開くことで本体１０１の内部にレシート用紙をセットすることができる。そして、この上面パネル１０３の表面には、タッチパネルを表面に配設した表示部１０４が設けられている。
【００１０】
本体１０１の側面上部には、決済用のカードから当該カードに格納されている情報を読み取るカードリーダ１０５が設けられている。決済用のカードとしては、例えば、クレジットカードやデビットカード等を用いることができる。
【００１１】
本体１０１内部には、上述のレシート用紙に決済に関する情報や後述する売上レポート等を印字するプリンタ１０６（図２参照）が備えられている。印字後のレシート用紙は、本体１０１と上面パネル１０３との間に設けられているレシート発行口１０８から発行される。さらに、上面パネル１０３には、カードリーダ１０５が読み込んだカード情報や、表示部１０４のタッチパネルから入力された情報をクリアするリセットボタン１０７が設けられている。
【００１２】
また、決済装置１００は、所定期間分の取引の集計結果を表した集計データ（以下、売上レポートという）を生成し、上位装置となるセンタサーバ４００へ送信する。また、決済装置１００は、ＰＯＳ端末３００からの要求に応じて、生成した売上レポートをＰＯＳ端末３００に提供する。
【００１３】
ピンパッド端末２００は、カード利用者がＩＣカード等の暗証番号を入力する場合に用いる装置である。図１に示すように、ピンパッド端末２００の本体背面には、ＩＣカード等を差し込むカード差込口２０１が設けられている。また、ピンパッド端末２００の本体上部には、カード利用者が暗証番号（PIN：Personal  Identification  Number）を入力する場合に用いるピンパッド２０２が設けられている。なお、表示部１０４のタッチパネルを用いて暗証番号を入力する形態の場合には、本システムからピンパッド端末２００を取り除いた構成としてもよい。
【００１４】
ＰＯＳ端末３００は、客が購入する商品の会計処理を行う装置であり、現金決済の場合に一取引の決済処理を行う。また、クレジットカードやデビットカード等のカード決済を行う場合には、ＰＯＳ端末３００は決済装置１００と連動して一取引の決済処理（カード決済処理）を行う。
【００１５】
ＰＯＳ端末３００は、量販店等の店舗で一般的に用いられるＰＯＳ端末と同等の構成を有している。即ち、図１に示すように、ＰＯＳ端末３００の本体３０１の上部には、店員用の表示部３０２と客用の表示部３０３とが設けられている。各表示部３０２、３０３は、ＬＣＤ（Liquid  Crystal  Display）或いはタッチパネルを表面に配設したＬＣＤによって構成され、商品名や商品の金額、一取引の合計金額等を表示する。また、本体３０１の上面には、キーボード３０４が配設されており、現金決済又はクレジット決済等の決済方法を選択する現金決済キーやクレジット決済キー等が設けられている。さらに、本体３０１の内部にはレシート等を印刷するプリンタ３０５が設けられている。プリンタ３０５によって印刷されたレシート用紙は、本体３０１の上部に設けられたレシート発行口３０６から発行される。
【００１６】
また、ＰＯＳ端末３００は、タッチパネルやキーボード３０４に対する所定の操作に応じて、売上レポートを収集するための収集コマンドをピンパッド端末２００に送信する。また、ＰＯＳ端末３００では、収集コマンドの送信により決済装置１００から提供された売上レポートを受信すると、表示部３０２に表示したりすることで、当該売上レポートを利用可能な状態とする。
【００１７】
センタサーバ４００は、決済装置１００で生成された売上レポートを記録・管理するサーバ装置である。より詳細には、センタサーバ４００は、データベース等の記憶装置を備え、決済装置１００から送信された売上レポートを記憶装置に記録・管理する。
【００１８】
次に、決済装置１００の電装系の構成について説明する。図２は、決済装置１００の電装系の構成を示すブロック図である。
【００１９】
図２に示すように、決済装置１００は、制御部として機能するＣＰＵ１１０に、表示コントローラ１１１、リセットボタン１０７、電源スイッチ１０２、カードリーダ１０５、プリンタ１０６、メモリ１１２等が、各種バスやインタフェースを介して接続されて構成されている。また、表示コントローラ１１１には、図１に示した表示部１０４が接続される。さらに、ＣＰＵ１１０は、通信Ｉ／Ｆ（インタフェース）１１３を介して、ピンパッド端末２００やＰＯＳ端末３００、センタサーバ４００等と相互に通信可能となっている。
【００２０】
表示コントローラ１１１は、制御部の制御の下、表示部１０４における入出力処理を制御する。図２に示すように、表示部１０４は、ＬＣＤ１０４ａと、ＬＣＤ１０４ａ上に設けられたタッチパネル１０４ｂとを備えている。ＣＰＵ１１０が表示コントローラ１１１を介して表示部１０４を制御することにより、表示部１０４はＧＵＩ（Graphical  User  Interface）として機能する。即ち、表示コントローラ１１１は、メモリ１１２に格納されている各種表示画面をＬＣＤ１０４ａに表示する。また、表示コントローラ１１１は、タッチパネル１０４ｂにおけるタッチ入力をタッチ位置に対応付けて受け付ける。
【００２１】
メモリ１１２は、Ｒｅａｄ／Ｗｒｉｔｅ可能な不揮発性の記憶媒体であって、ＣＰＵ１１０が実行する各種プログラムや、ＬＣＤ１０４ａに表示される各種表示画面に関するデータを記憶する。また、メモリ１１２は、売上レポートの要素、つまり集計の対象となる項目を定義した売上レポートテーブル１１２ａを記憶する。
【００２２】
ここで、図３は、売上レポートテーブル１１２ａの一例を示す図である。この売上レポートテーブル１１２ａでは、区分“００”〜“０３”で区分けした４つの項目を、売上レポートの要素とすることを定めている。
【００２３】
ここで、区分“００”の「現金売上」は、決済装置１００及びＰＯＳ端末３００で処理した取引のうち、現金で支払いが行われた取引の総取引金額を意味する。また、区分“０１”の「クレジット売上」は、決済装置１００及びＰＯＳ端末３００で処理した取引のうち、クレジット決済で支払いが行われた取引の総取引金額を意味する。また、区分“０２”の「総売上」は、決済装置１００及びＰＯＳ端末３００で処理した取引での総取引金額を意味する。また、区分“０３”の「客数」は、決済装置１００及びＰＯＳ端末３００で処理した取引での総客数を意味する。なお、売上レポートテーブル１１２ａに定義する項目の数や種別は図３の例に限らず、例えば、掛売上や過不足金等の他の項目を定義してもよい。
【００２４】
図２に戻り、ＣＰＵ１１０は、図示しないＲＯＭ、ＲＡＭ等のコンピュータ構成により、メモリ１１２に格納されている各種プログラムを読み出して実行することで、表示制御部１２１、売上レポート生成部１２２、売上レポート出力部１２３及び売上レポート提供部１２４を、機能部として実現させる。
【００２５】
表示制御部１２１は、表示コントローラ１１１を制御して、各種画面をＬＣＤ１０４ａに表示させる。例えば、表示制御部１２１は、メモリ１１２のプログラムに従って、各種の操作画面等を表示する。
【００２６】
ここで、図４は、決済装置１００に表示される操作画面の一例を示す図である。同図は、決済装置１００の動作を選択するための操作画面Ｇ１を示している。ここでは、タブＴ１、Ｔ２の選択により、決済装置１００の動作が選択されるよう構成されている。
【００２７】
タブＴ１は、決済業務の実行指示を受け付けるための操作子である。このタブＴ１が選択されると、決済装置１００は、カード決済処理を開始する。より詳細には、決済装置１００は、カードリーダ１０５を介してＩＣカードや磁気カードからカード情報を読み込む。また、決済装置１００は、表示制御部１２１が表示する操作画面と協働することで、取引金額や支払い区分等の売上データの入力を受け付ける。そして、決済装置１００は、カード情報及び売上データを図示しない通信線を介してカード会社のサーバに送信することで、その取引により生じた取引金額の決済（カード決済）を行う。
【００２８】
タブＴ２は、集計処理の実行指示を受け付けるための操作子である。図４では、このタブＴ２が選択された画面を示している。タブＴ２が選択されると、表示制御部１２１は、実行対象となる集計処理を選択するためのボタンＢ１１〜Ｂ１３を表示する。
【００２９】
ボタンＢ１１は、売上レポートの生成指示を受け付けるための操作子である。このボタンＢ１１が選択されると、売上レポート生成部１２２は売上レポートの生成処理を開始する。また、ボタンＢ１２は、一日分の売上データを集計する「日計」の実行指示を受け付けるための操作子である。ボタンＢ１３は、半日分の売上データを集計する「中間計」の実行指示を受け付けるための操作子である。決済装置１００は、ボタンＢ１２又はＢ１３の選択に応じて集計処理を開始する。ここで、売上レポートは、「日計」及び「中間計」の集計結果を含んでいてもよい。なお、売上データの集計方法は公知の技術を用いるものとする。
【００３０】
図２に戻り、売上レポート生成部１２２は、売上レポートを生成する機能部である。売上レポート生成部１２２は、例えば、上記したボタンＢ１１（図４参照）の操作時又は売上レポート提供部１２４の制御に従い動作する。
【００３１】
売上レポート生成部１２２は、売上レポートテーブル１１２ａに定義された各項目について、所定期間分の集計結果となるデータ値を含んだ売上レポートを生成する。ここで、売上レポートの生成対象となる期間は特に問わず、操作者が指定可能な構成としてもよい。
【００３２】
また、データ値の入力方法は特に問わず、例えば、自装置又はＰＯＳ端末３００に記憶されている売上データ等から、各項目のデータ値を自動的に取得及び集計する構成としてもよい。また、表示制御部１２１と協働し、各項目についてのデータ値の入力を促す画面（データ入力画面）を表示することで、当該データ値を決済装置１００の操作者に入力させる構成としてもよい。
【００３３】
ここで、図５は、決済装置１００に表示されるデータ入力画面の一例を示す図である。同図に示すように、データ入力画面Ｇ２は、データ値を入力するための数値キーを表示したキー領域Ａ１と、入力対象の項目及び入力されたデータ値を表示するための表示領域Ａ２とを有している。決済装置１００の操作者により、キー領域Ａ１を介して数値が入力され、セットボタンＢ２１が操作されると、売上レポート生成部１２２は、入力された数値（データ値）を対応する項目にセットする。
【００３４】
訂正ボタンＢ２２は、データ値の訂正指示を受け付けるための操作子である。売上レポート生成部１２２は、訂正ボタンＢ２２の操作を受け付けると、入力された数値（データ値）を一文字分削除したり、直前の項目に戻す等の制御を行う。また、実行ボタンＢ２３は、売上レポートの生成指示を受け付けるための操作子である。売上レポート生成部１２２は、実行ボタンＢ２３の操作を受け付けると、各項目にセットされたデータ値に基づいて、当該データ値を含む売上レポートを生成する。なお、生成された売上レポートは、ＲＡＭやメモリ１１２上に保持される。
【００３５】
売上レポート出力部１２３は、売上レポート生成部１２２が生成した売上レポートを記録用に出力する機能部である。売上レポート出力部１２３は、例えば、上記した図５の実行ボタンＢ２３の操作をトリガに動作を開始する。
【００３６】
具体的に、売上レポート出力部１２３は、売上レポート生成部１２２で生成された売上レポートを、通信Ｉ／Ｆ１１３を介してセンタサーバ４００に送信（出力）する。また、売上レポート出力部１２３は、売上レポート生成部１２２で生成された売上レポートやセンタサーバ４００への送信結果等を、プリンタ１０６を介して出力（印字）する。
【００３７】
売上レポート提供部１２４は、ＰＯＳ端末３００からの要求に応じて、売上レポート生成部１２２が生成した売上レポートをＰＯＳ端末３００に提供する。
【００３８】
より詳細には、売上レポート提供部１２４は、通信Ｉ／Ｆ１１３を介してＰＯＳ端末３００から収集コマンドを受け付けると、この収集コマンドに対する応答コマンドをＰＯＳ端末３００に返信する。そして、売上レポート提供部１２４は、売上レポート生成部１２２で生成された売上レポートを、通信Ｉ／Ｆ１１３を介してＰＯＳ端末３００に提供（送信）する。
【００３９】
ここで、売上レポート提供部１２４から提供する売上レポートの生成タイミングは特に問わないものとする。例えば、収集コマンドを受け取る以前に売上レポートが生成されている場合には、その売上レポートをＰＯＳ端末３００に提供する形態としてもよい。また、売上レポート提供部１２４が売上レポート生成部１２２を制御することで、収集コマンドを受け付けたタイミングで売上レポートを生成させる形態としてもよい。なお、収集コマンドの受付時に売上レポートを生成させる場合においても、データ値の入力は自動で行う構成としてもよいし、操作者に入力させる構成としてもよい。また、売上レポート提供方法は特に問わず、項目毎に集計データを個別に提供する形態としてもよいし、全項目分の集計データを一括して提供する形態としてもよい。
【００４０】
このように、決済装置１００では、自装置で生成した売上レポートを、上位装置であるセンタサーバ４００へ出力する。また、決済装置１００では、ＰＯＳ端末３００からの要求に応じて、自装置で生成した売上レポートをＰＯＳ端末３００に提供する。
【００４１】
次に、図６を用いて上述した決済装置１００の動作について説明する。図６は、決済装置１００とＰＯＳ端末３００との間で行われる売上レポートの授受に係るシーケンス図である。なお、このシーケンス図では、収集コマンドの受付時（受信時）に売上レポートを生成する形態について説明する。
【００４２】
まず、ＰＯＳ端末３００では、自装置のタッチパネルやキーボード３０４を介して、売上レポートの収集を指示する所定の操作を受け付けると、決済装置１００に収集コマンドを送信する（ステップＳ１１）。
【００４３】
一方、決済装置１００では、ＰＯＳ端末３００から収集コマンドを受信すると、売上レポート提供部１２４が、ＰＯＳ端末３００に応答コマンドを返信する（ステップＳ１２）。続いて、売上レポート提供部１２４は、売上レポート生成部１２２を制御することで、売上レポート生成部１２２に売上レポートの生成を開始させる（ステップＳ１３）。
【００４４】
次いで、売上レポート提供部１２４は、売上レポートテーブル１１２ａの各項目についてデータ値をセットした売上レポートが生成されると、当該売上レポートをＰＯＳ端末３００に提供（送信）する（ステップＳ１４）。ここで、売上レポートは、項目毎に提供する形態としてもよいし、全項目分を一括して提供する形態としてもよい。
【００４５】
ＰＯＳ端末３００では、決済装置１００から売上レポートを受信すると、当該売上レポートの内容を表示部３０２に出力し（ステップＳ１５）、本処理を終了する。
【００４６】
以上のように、本実施形態の決済装置１００によれば、生成した売上レポートを、センタサーバ４００に記録用に出力するとともに、自装置と連動して決済処理を行うＰＯＳ端末３００に提供する。これにより、ＰＯＳ端末３００において売上レポートを利用することができるため、売上レポートに係るユーザビリティを向上させることができる。
【００４７】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４８】
例えば、上記実施形態では、売上レポートテーブル１１２ａに定義された各項目について売上レポートを個別又は一括で提供する形態としたが、特定の項目についての売上レポートだけを個別又は一括で提供する形態としてもよい。この形態を採用する場合、ＰＯＳ端末３００から特定の項目を指定した収集コマンドを送信し、決済装置１００の売上レポート提供部１２４は、この収集コマンドにより指定された項目についての売上レポートを提供する。なお、項目の指定は、例えば、区分（図３参照）の指定により行うことができる。
【００４９】
また、上記実施形態では、ＰＯＳ端末３００からの要求に応じ、決済装置１００から売上レポートを提供するプル型の提供方法としたが、これに限らず、プッシュ型の提供方法としてもよい。この場合、例えば、売上レポート出力部１２３が、センタサーバ４００への売上レポートの送信時に、当該売上レポートをＰＯＳ端末３００に送信する形態としてもよい。
【００５０】
また、上記実施形態では、ＰＯＳ端末３００からセンタサーバ４００に売上レポートを送信するプッシュ型の送信方法としたが、これに限らず、プル型の送信方法としてもよい。この場合、例えば、売上レポート提供部１２４が、センタサーバ４００から収集コマンドを受け付けた場合に、当該センタサーバ４００に売上レポートを送信する形態としてもよい。
【００５１】
また、上記実施形態では、ＰＯＳ端末３００に対し売上レポートを提供する形態としたが、これに限らず、日計や中間計等の集計結果を提供する形態としてもよい。
【００５２】
また、上記実施形態の決済装置１００で実行されるプログラムは、ＲＯＭ等に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５３】
さらに、上記実施形態の決済装置１００で実行されるプログラムを、インターネット等のネットワークに接続されたコンピュータ上に格納し、ネットワーク経由でダウンロードさせることにより提供するように構成してもよい。また、本実施形態の決済装置１００で実行されるプログラムを、インターネット等のネットワーク経由で提供又は配布するように構成してもよい。
【００５４】
上記実施形態の決済装置１００で実行されるプログラムは、上述した各部（表示制御部１２１、売上レポート生成部１２２、売上レポート出力部１２３、売上レポート提供部１２４）を含むモジュール構成となっており、実際のハードウェアとしてはＣＰＵ（プロセッサ）が上記ＲＯＭからプログラムを読み出して実行することにより上記各部が主記憶装置上にロードされ、主記憶装置上に生成されるようになっている。
【符号の説明】
【００５５】
１…ＰＯＳシステム、１００…決済装置、１０１…本体、１０２…電源スイッチ、１０３…上面パネル、１０４…表示部、１０４ａ…ＬＣＤ、１０４ｂ…タッチパネル、１０５…カードリーダ、１０６…プリンタ、１０７…リセットボタン、１０８…レシート発行口、１１０…ＣＰＵ、１１１…表示コントローラ、１１２…メモリ、１１２ａ…売上レポートテーブル、１１３…通信インタフェース、１２１…表示制御部、１２２…売上レポート生成部、１２３…売上レポート出力部、１２４…売上レポート提供部、２００…ピンパッド端末、２０１…カード差込口、２０２…ピンパッド、３００…ＰＯＳ端末、３０１…本体、３０２…表示部、３０３…表示部、３０４…キーボード、３０５…プリンタ、３０６…レシート発行口、４００…センタサーバ
【先行技術文献】
【特許文献】
【００５６】
【特許文献１】特開２０１２−２１５９８１号公報
【図１】
0005627717.tif 000002
【図２】
0005627717.tif 000003
【図３】
0005627717.tif 000004
【図４】
0005627717.tif 000005
【図５】
0005627717.tif 000006
【図６】
0005627717.tif 000007